(57)【要約】【課題】掛かりな製造設備を必要とすることがなく、製造工程に起因する防水性能のばらつきが少ない路肩灯を提供する。【解決手段】ＬＥＤ１４と、ＬＥＤ１４を搭載する光源基板１５が取り付けられるハウジング１１と、ＬＥＤ１４が発する光を透過するレンズ１３を有し、ハウジング１１とともに光源基板１５を収容する灯体３０を構成するカバー１２と、灯体内部１７への水の浸入を防ぐ防水構造でハウジング１１及びカバー１２を接合する防水接合部２０とを具備する。【選択図】図３
2017195042.tif 000002
【特許請求の範囲】
【請求項１】
光源部と、
該光源部が取り付けられるハウジングと、
前記光源部が発する光を透過する透光部を有し、前記ハウジングとともに前記光源部を収容する灯体を構成するカバーと、
前記灯体内部への水の浸入を防ぐ防水構造で前記ハウジング及び前記カバーを接合する防水接合部と
を具備することを特徴とする路肩灯。
【請求項２】
前記防水接合部は、前記ハウジングまたは前記カバーのいずれか一方に設けられた凹条状部と、他方に該凹条状部と嵌合する形状で設けられた凸条状部とを有し、
前記凹条状部と前記凸条状部との間に充填された接着材で接着されている
ことを特徴とする請求項１に記載の路肩灯。
【請求項３】
前記防水接合部は、前記ハウジングと前記カバーとを係止する係止部をさらに備えており、該係止部において係止された状態で前記ハウジングと前記カバーとが接合される
ことを特徴とする請求項１または請求項２に記載の路肩灯。
【請求項４】
光源部と、
該光源部が取り付けられるハウジングと、
前記光源部が発する光を透過する透光部を有し、前記ハウジングとともに前記光源部を収容する灯体を構成するカバーと、
前記ハウジング及び前記カバーの一縁部に設けられ、前記ハウジング及び前記カバーを係止する係止部、前記ハウジングの他縁部全体に沿って条状に設けられた第一係合部、及び前記カバーの他縁部全体に沿って条状に設けられ前記第一係合部と係合する第二係合部を有し、前記係止部、及び前記第一係合部と前記第二係合部との間との間に接着剤が充填された防水接合部と
を具備することを特徴とする路肩灯。
【請求項５】
前記第一係合部及び前記第二係合部は、いずれも並んで設けられた凸条状部と凹条状部とを有し、相互の凸条状部と凹条状部とが係合することを特徴とする請求項４に記載の路肩灯。
【発明の詳細な説明】
【技術分野】
【０００１】
本発明は、バスやトラックの車体に取り付けられて、車輪近傍の路肩を照明するための車両用の路肩灯に関する。
【背景技術】
【０００２】
従来、大型バス等の車両の車輪近傍の路肩を照明し、走行中の脱輪や巻き込み事故を防ぐための路肩灯が用いられている。路肩灯は、電球やＬＥＤなどの光源を内蔵しており、車体側面に取り付けられる小型の灯具である。路肩灯は車体の外側に取り付けられるため、防水構造が必須とされている。例えば、特許文献１には、このような車両用路肩灯の一例が示されている。
【０００３】
このような路肩灯においては、防水性を高めるため、本体ケースの接合部分から水が入らないように種々の対策がなされている。特許文献１に開示の技術によれば、ランプハウジングとレンズが超音波溶着されるものが開示されている。また、その他の方法として、接着剤や熱溶着で接着する方法が開示されている。
【先行技術文献】
【特許文献】
【０００４】
【特許文献１】特開２０１２−１４８６２４号公報
【発明の概要】
【発明が解決しようとする課題】
【０００５】
しかし、超音波溶着の場合は、成形品の加工精度や溶着レベルによって溶着後の防水性にばらつきが生じるという問題があった。また、熱溶着を行うためには、高価な設備の導入と、その設置場所が必要になるという問題があった。接着剤を用いる場合にも、接着剤の塗布むら、接着時の位置ずれや隙間発生など、製造工程に起因するばらつきが生じやすかった。
【０００６】
ゴム等でできているパッキンを追加して防水性を高めることも可能であるが、路肩灯は車外に取り付けられることもあり、パッキンに温度変化等による経年劣化が生じて、使用中に防水性が損なわれる恐れがあった。
【０００７】
上記の実情を鑑み、本発明は、大掛かりな製造設備を必要とすることがなく、防水性能のばらつきが少ない路肩灯を提供することを目的とする。
【課題を解決するための手段】
【０００８】
本発明の路肩灯は、「光源部と、光源部が取り付けられるハウジングと、光源部が発する光を透過する透光部を有し、ハウジングとともに光源部を収容する灯体を構成するカバーと、灯体内部への水の浸入を防ぐ防水構造でハウジング及び前記カバーを接合する防水接合部とを具備する」ことを特徴とする。
【０００９】
本発明の路肩灯によると、防水構造を有する防水接合部によってカバーとハウジングとを接合し、灯体内部への水の浸入を防ぐので、製造時の加工に起因する路肩灯の防水性能のばらつきを抑制することができる。
【００１０】
また、本発明の路肩灯は、「防水接合部は、ハウジングまたはカバーのいずれか一方に設けられた凹条状部と、他方に凹条状部と嵌合する形状で設けられた凸条状部とを有し、凹条状部と凸条状部との間に充填された接着材で接着されている」ものとすることもできる。
【００１１】
本構成によると、防水接合部は、互いに嵌合する凹条状部と凸条状部とを有して構成されており、ハウジング及びカバーの接合部は単に接触するのではなく立体的に嵌合する。さらに、凹条状部と凸条状部との間には接着材が充填されているので、嵌合面からの水の浸入を抑制する。凹条状部と凸条状部との間に接着剤が充填されるので、ハウジングとカバーとを押し当てた際に接着剤が接合面に沿って伸び、接着剤の塗布にむらが生じにくくなる。立体的な嵌合構造に加え、接合面に接着剤が行き渡っていることにより、防水接合部の接合箇所から水を灯体内部に侵入しにくくすることができる。
【００１２】
また、本発明の路肩灯は、「防水接合部は、ハウジングとカバーとを係止する係止部をさらに備えており、係止部において係止された状態でハウジングとカバーとが接合される」ものとすることもできる。
【００１３】
本構成によると、係止部でハウジングとカバーが係止されたうえで接合されるので、接着やはめ合わせで接合する際に位置決めが容易になるとともに、よりしっかり接合することができるようになる。
【００１４】
さらに、本発明の路肩灯は、「光源部と、光源部が取り付けられるハウジングと、光源部が発する光を透過する透光部を有し、ハウジングとともに光源部を収容する灯体を構成するカバーと、ハウジング及びカバーの一縁部に設けられ、ハウジング及びカバーを係止する係止部、ハウジングの他縁部全体に沿って条状に設けられた第一係合部、及び前記カバーの他縁部全体に沿って条状に設けられ第一係合部と係合する第二係合部を有し、係止部、及び第一係合部と第二係合部との間に接着剤が充填された防水接合部と
を具備する」ものとすることもできる。
【００１５】
本構成によると、カバーとハウジングの一縁部に係止部が設けられており、カバーとハウジングが係止されるようになっている。また、条状の第一係合部と第二係合部とがそれぞれハウジングとカバーの他縁部全体に沿って設けられており、互いに係合する。防水接合部は、係止部、第一係合部及び第二係合部によってカバーとハウジングとを縁部において全体的に接合する。係止部、第一係合部及び第二係合部は、接合箇所に接着剤が充填されており、灯体内部への水の浸入を防ぐことができる。
【００１６】
また、本発明の路肩灯は、「前記第一係合部及び前記第二係合部は、いずれも並んで設けられた凸条状部と凹条状部とを有し、相互の凸条状部と凹条状部とが係合する」ものとしてもよい。
【００１７】
本構成によると、カバーとハウジングには凸条状部と凹条状部が並んで設けられており、第一係合部と第二係合部とを係合させると、その隙間は断面略Ｓ字状を呈する。これにより、製造工程において部品の加工精度や接着状態に多少のばらつきがあったとしても、防水接合部においては水の侵入経路となる小孔等ができにくいので、防水性能の低下が生じにくくなる。
【発明の効果】
【００１８】
以上のように、本発明によれば、防水接合部によってハウジングとカバーとを接合することにより、大掛かりな製造設備を用いずとも製造工程や部品の加工精度による防水性能のばらつきが少ない路肩灯を提供することができる。
【図面の簡単な説明】
【００１９】
【図１】本発明の一実施形態である路肩灯の概要を示す斜視図である。
【図２】路肩灯の部品であるカバーとハウジングとを示す斜視図である。
【図３】路肩灯の縦断面図である。
【図４】路肩灯の防水接合部の構造を示す拡大断面図である。
【図５】路肩灯の係止部の構造を示す拡大断面図である。
【発明を実施するための形態】
【００２０】
以下、本発明の一実施形態である路肩灯について、図１〜図５に基き説明する。図１は、路肩灯１０の概要を示す斜視図である。図２は、路肩灯１０の部品であるカバーとハウジングの構成を示す斜視図である。図３は、路肩灯１０の縦断面図である。図４は、路肩灯１０の防水接合部の構造を示す拡大断面図であり、図５は、路肩灯の係止部の構造を示す拡大断面図である。
【００２１】
図１及び図３に示すように、路肩灯１０は、ハウジング１１及びカバー１２からなる灯体３０に、長方形の透光レンズ１３を備えている。ハウジング１１及びカバー１２は、不透明なプラスチック製の部材であり、路肩灯１０の灯体を構成する。レンズ１３は、透明なプラスチック製の部材であり、後述するように灯体内部に収納された光源からの光を外部に透過させて路肩を照明するための透光部である。ここで、レンズ１３が、本発明の「透光部」に相当する。
【００２２】
図２（ａ）に示すように、カバー１２は、路肩灯１０が車体に取り付けられる際にハウジング１１及びカバー１２を貫通する締結具（図示しない）が挿通されるねじ孔１２ａを２箇所有している。また、車体に取り付けられた際に斜め下方に向く底部１２ｃにレンズ１３が取付けられる長方形の開口部１２ｂを備えている。
【００２３】
図２（ｂ）に示すように、ハウジング１１は、略板状を呈し、各種の部品が取り付けられ、カバー１２を閉塞する基部となる部品である。ねじ孔１２ａと対応する位置にねじ孔１１ａが同じく２箇所設けられている。ハウジング１１の中央部には、車体から電源供給等のための配線が通される配線孔１１ｂが設けられている。
【００２４】
次に、図２及び図３に基づいて路肩灯１０の構造を詳細に説明する。ハウジング１１及びカバー１２によって灯体が構成されており、ハウジング１１の開口部１２ｂにはレンズ１３が内側から接着されている。レンズ１３の内側には、ＬＥＤ１５を搭載した光源基板１４がレンズ１３を通して灯体の外部に光を放射するように配設されている。光源基板１４は、光源基板１４の放熱部材を兼ねる金属製の光源取付部材１６を介してハウジング１１に取り付けられている。光源基板１４は、電源基板１８に電気的に接続されており、電源基板１８には、配線孔１１ｂを通して車体から引き込まれた配線によって電源が供給される。ハウジング１１の車体側の面には、ゴム製の外部パッキン１９が、配線孔１１ｂの周囲を除いて全面を覆うように貼着されている。ここで、ＬＥＤ１５が、本発明の「光源部」に相当する。
【００２５】
ハウジング１１とカバー１２との接合は、ハウジング１１に部品が搭載されたうえで行われる。ハウジング１１とカバー１２とは接着剤で接着されるが、接着剤はハウジング１１及びカバー１２の縁部（接合部）全周に塗布される。ハウジング１１の下方にあたる縁部１１ｄにハウジング側係止部２６が設けられており、カバー１２の底部１２ｃ側の縁部１２ｄに設けられたカバー側係止部２７に係止されて係止部２５を構成する。ハウジング１１とカバー１２とはこの係止部２５で接合される。その後、ハウジング１１とカバー１２とが閉じられ、ハウジング側係合部２１とカバー側係合部２２とが接着されて灯体が密閉される。ここで、縁部１１ｄ及び縁部１２ｄが、本発明の「一縁部」に相当し、ハウジング側係合部２１が、「第一係合部」に相当し、カバー側係合部２２が、「第二係合部」に相当する。
【００２６】
以下、図４及び図５に基づき、路肩灯１０の防水接合部２０の構造を詳細に説明する。図４の拡大断面図に示すように、係止部２５は、ハウジング１１の縁部１１ｄに設けられた係止突起２６ａがカバー１２の縁部１２ｄの内側に設けられた係止凹部２７ａに挿入されて構成される。係止突起２６ａは略くさび状を呈しており、係止凹部２７ａに挿入された後にも係止凹部２７ａの下縁を支点としてハウジング１１が若干回動可能になっている。係止部２５においては、係止凹部２７ａからハウジング内側凸条状部２６ｂの範囲に接着剤（図示しない）が充填される。
【００２７】
図５の拡大断面図に示すように、係止部２５で係止されたハウジング１１とカバー１２とが閉じられると、ハウジング１１の縁部１１ｅに設けられたハウジング側係合部２１と、カバー１２の縁部１２ｅに設けられたカバー側係合部２２とが噛合うようにして接合される。ハウジング側係合部２１は、ハウジング側凹条状部２１ａ、ハウジング側凸条状部２１ｂ及びハウジング内側凸条状部２１ｃから構成されている。カバー側係合部２２は、カバー側凹条状部２２ａ及びカバー側凸条状部２２ｂから構成されている。ハウジング側係合部２１は、ハウジング１１の外周に沿って、ハウジング側係止部２６を除く全周に設けられている。カバー側係合部２２は、カバー１２の外周に沿って、カバー側係止部２７を除く全周に設けられている。ハウジング側係止部２６及びカバー側係止部２７によって構成される係止部２５と、ハウジング側係合部２１及びカバー側係合部２２とによって、防水構造をなす防水接合部２０が構成されている。この防水接合部２０により、ハウジング１１とカバー１２とが全週にわたって水密に接合される。ここで、縁部１１ｅ及び縁部１２ｅが、本発明の「他縁部」に相当し、ハウジング側凹条状部２１ａ及びカバー側凹条状部２２ａが、「凹条状部」に相当し、ハウジング側凸条状部２１ｂ及びカバー側凸条状部２２ｂが、「凸条状部」に相当する。
【００２８】
ハウジング側凹条状部２１ａとハウジング側凸条状部２１ｂとは並んで設けられており、それぞれカバー側凸条状部２２ｂとカバー側凹条状部２２ａと対応した形状で、合致するようになっている。ハウジング側係合部２１とカバー側係合部２２との接合面は、図５に示すように断面略Ｓ字状、あるいはクランク状に入り組んでおり、カバー内側凸条状部２１ｃからカバー１２の端部の間の接合部分の隙間に接着剤（図示しない）が充填されてハウジング１１とカバー１２とが接着される。そして、接着されたハウジング１１及びカバー１２の車体取付側の面を覆うように外部パッキン１９が貼着されて、ハウジング１１とカバー１２との接着箇所は封止される。
【００２９】
図示による説明は省略するが、ねじ孔１１ａ及び１２ａの周囲においても防水接合部２０と同様の防水構造を備える。具体的には、ねじ孔１１ａの外周に沿って、ハウジング側係合部２１と同様の構造が設けられており、ねじ孔１２ａの外周に沿って、カバー側係合部２２と同様の構造が設けられている。
【００３０】
以上のように防水接合部２０において接合されたハウジング１１とカバー１２は、極めて高い水密性を有するものとなる。路肩灯１０の外部に開口している箇所は、車体側の配線孔と連通する配線孔１１ｂのみとなるので、車体取付後の灯体内部１７への水の侵入は防止される。
【００３１】
以上に説明した路肩灯１０によれば、防水接合部２０によってハウジング１１とカバー１２とを接合することにより、大掛かりな製造設備を用いずとも製造工程や部品の加工精度による防水性能のばらつきが少ない路肩灯を提供することができる。
【００３２】
路肩灯１０によれば、カバー１１に対してハウジング１２がはめ込まれる構造となっているが、はめ合わせる際に係止部２５で係止して位置決めしたうえでハウジング側係合部２１及びカバー側係合部２２を係合させてはめ込むため、精度の高いはめ合わせで形成されたハウジングとカバーとを簡単に組み付けることができる。
【００３３】
また、路肩灯１０によれば、防水構造を有する防水接合部２０によってカバー１２とハウジング１１とを接合し、灯体内部１７への水の浸入を防ぐので、接着材の塗布むらや、部品の成型のばらつきなど、製造時の加工に起因する路肩灯１０の防水性能のばらつきを抑制することができる。
【００３４】
さらに、路肩灯１０によれば、カバー１２とハウジング１１の一縁部に係止部２５が設けられており、カバー１２とハウジング１１が係止されるようになっている。また、条状のハウジング側係合部２１とカバー側係合部２２とがそれぞれハウジング１１とカバー１２の他縁部全体に沿って設けられており、互いに係合する。防水接合部２０は、係止部２５、ハウジング側係合部２１及びカバー側係合部２２によってカバー１２とハウジング１１とを縁部において全体的に接合する。係止部２５、ハウジング側係合部２１及びカバー側係合部２２は、接合箇所に接着剤が充填されており、灯体内部１７への水の浸入を防ぐことができる。
【００３５】
カバー１１とハウジング１２には凹条状部２１ａ，２２ａと凸条状部２１ｂ，２２ｂとが並んで設けられており、ハウジング側係合部２１とカバー側係合部２２とを係合させると、その隙間は断面略Ｓ字状を呈する。これにより、製造工程において部品の加工精度や接着状態に多少のばらつきがあったとしても、防水接合部２０においては水の侵入経路となる小孔等ができにくいので、防水性能の低下が生じにくくなる。
【００３６】
また、路肩灯１０によれば、凹条状部２１ａ，２２ａと凸条状部２１ｂ，２２ｂとの間に接着剤が充填されるので、ハウジング１１とカバー１２とを押し当てた際に接着剤が溝状の接合面に沿って伸び、接着剤の塗布にむらが生じにくくなる。立体的な嵌合構造に加え、接合面に接着剤が行き渡っていることにより、防水接合部２０の接合箇所から水を灯体内部に侵入しにくくすることができる。
【００３７】
なお、本発明の実施形態は上記の構成に限定されるものではなく、以下に示すように種々に変更することができる。
【００３８】
上記の実施形態では、防水接合部２０が、凹条状部２１ａ，２２ａと凸条状部２１ｂ，２２ｂとを備えるものを例示したが、これに限定されるものではなく、ハウジング１１及びカバー１２の一方に凹条状部のみが設けられており、他方には凸条状部のみが設けられている構成であってもよい。
【００３９】
接着剤の塗布及び充填方法は、上記の方法に限定されるものではなく、接合面全体に塗布したり、溝部のみに充填したりしてもよく、カバー１１とハウジング１２の間に水が浸入する隙間がないように接着剤が行き渡っていればよい。
【符号の説明】
【００４０】
１０…路肩灯、１１…ハウジング、１２…カバー、１３…レンズ（透光部）、１５…ＬＥＤ（光源部）、１７…灯体内部、２０…防水接合部、２１…ハウジング側係合部（第一係合部）、２１ａ…ハウジング側凹条状部（凹条状部）、２１ｂ…ハウジング側凸条状部（凸条状部）、２２…カバー側係合部（第二係合部）、２２ａ…カバー側凹条状部（凹条状部）、２２ｂ…カバー側凸条状部（凸条状部）、２５…係止部、２６…ハウジング側係止部（係止部）、２７…カバー側係止部（係止部）、３０…灯体
【図１】
2017195042.tif 000003
【図２】
2017195042.tif 000004
【図３】
2017195042.tif 000005
【図４】
2017195042.tif 000006
【図５】
2017195042.tif 000007